(57)【要約】      （修正有）【課題】電源の耐用命数が長く、しかも、歩行運動に伴う振動検知信号により歩数が計測記録され、歩数と共に歩行距離と消費エネルギーを即刻切換表示できる携帯用健康管理具を提供する。【解決手段】ケース本体１に対して、ソーラーパネル５と、発光ダイオード６とが配設される照明部本体２が、その一端部で開閉自在に配設され、ケース本体１の他端部に歩数検知部１９を設けるとともに、振動検知信号に基づいて歩数を計測して記録する記録部を内蔵し、記録部で記録された歩数を歩行距離と消費エネルギーに演算するＣＰＵ１０と、スイッチ操作部を介して歩数及び歩行距離と消費エネルギーを表示する液晶表示部としての液晶ディスプレイ１１が配設されて成る。このほか、スイッチ機構９が、照明部本体２の開閉姿勢に連動して、バネ作用で照明回路を閉、開して成る。【選択図】図２
0003132257.tif 000002
【実用新案登録請求の範囲】
【請求項１】
偏平状直方体のケース本体に、ソーラーパネルと、ソーラー発電用の蓄電部と、該蓄電部から電力を取り出す端子と、該端子に接続されて蓄電部からの電力の供給を受けてスイッチ機構により発光する照明用の発光ダイオードとを有し、ケース本体の裏面に携帯用のクリップを設けて成る携帯用電源体において、
ケース本体に対して、前記ソーラーパネルと、発光ダイオードとが配設される照明部本体が、その一端部で開閉自在に配設され、ケース本体の他端部に歩数検知部を設けるとともに、振動検知信号に基づいて歩数を計測して記録する記録部を内蔵し、該記録部で記録された歩数を歩行距離と消費エネルギーに演算するＣＰＵと、スイッチ操作部を介して歩数及び歩行距離と消費エネルギーを表示する液晶表示部が配設されて成る携帯用健康管理具。
【請求項２】
前記スイッチ機構が、前記照明部本体の開閉姿勢に連動して、バネ作用で照明回路を閉、開して成る請求項１記載の携帯用健康管理具。
【考案の詳細な説明】
【技術分野】
【０００１】  本考案は、太陽電池を電源として夜間の照明もできる万歩計（登録商標）から成り、歩行運動による歩行距離や消費カロリーを、簡単に即刻把握できる携帯用健康管理具に関する。
【背景技術】
【０００２】  従来から歩行運動に伴う振動によって歩数を計測する万歩計（登録商標、以下省略する。）は種々提案され、その中で照明手段を具備した照明灯付き用具「特開平１１−２９９５２９号公報（特許文献１）」や、計測される歩数から消費カロリーを計算して画面に表示する機能を有する電子万歩計端末「特開平１１−５６８１９号公報（特許文献２）」が、本考案に関連する技術として提案されている。
しかし、特許文献１に開示された技術では内蔵する電源が電池のみであるため、不用意な電源切れによって歩数管理のできない場合があり、特許文献２の技術では、歩数データは通信手段を介して管理されるものであるため、ネットワーク上のサーバーと連携しなければならず、手続などが面倒である。一方、ソーラーパネルを有して蓄電部に蓄電した電力を携帯電話機の充電に使用できるとともに、照明用の発光素子を発光できる携帯電話機用充電器「特開２００６−８７１５１号公報（特許文献３）」が提案されているが、このものには携帯時の健康管理手段が欠落しているものである。
【特許文献１】  特開平１１−２９９５２９号公報
【特許文献２】  特開平１１−５６８１９号公報
【特許文献３】  特開２００６−８７１５１号公報
【考案の開示】
【考案が解決しようとする課題】
【０００３】  本考案は、上記に鑑みて不用意な電源切れがなく、しかも、歩行運動に伴う振動検知信号によって歩数が計測記録され、即刻歩数と共に所定の算定基準による歩行距離と消費エネルギーを切換表示できる携帯用健康管理具を提供するものである。
【課題を解決するための手段】
【０００４】  本考案の請求項１に記載した携帯用健康管理具は、偏平状直方体のケース本体に、ソーラーパネルと、ソーラー発電用の蓄電部と、該蓄電部から電力を取り出す端子と、該端子に接続されて蓄電部からの電力の供給を受けてスイッチ機構により発光する照明用の発光ダイオードとを有し、ケース本体の裏面に携帯用のクリップを設けて成る携帯用電源体において、
ケース本体に対して、前記ソーラーパネルと、発光ダイオードとが配設される照明部本体が、その一端部で開閉自在に配設され、ケース本体の他端部に歩数検知部を設けるとともに、振動検知信号に基づいて歩数を計測して記録する記録部を内蔵し、該記録部で記録された歩数を歩行距離と消費エネルギーに演算するＣＰＵと、スイッチ操作部を介して歩数及び歩行距離と消費エネルギーを表示する液晶表示部が配設されて成る。
また、請求項２に記載した携帯用健康管理具は、請求項１に記載した携帯用健康管理具において、スイッチ機構が、前記照明部本体の開閉姿勢に連動して、バネ作用で照明回路を閉、開して成る。
【考案の効果】
【０００５】  本考案は、ソーラーパネルにより蓄電部に蓄電された電力によって発光ダイオードが点灯され、かつ、歩数検知部における電源が確保されるから、昼夜を問わず身に着けてさえおれば、常時歩行運動による健康管理ができるから極めて便利である。また、スイッチ機構が照明灯（発光ダイオード）の使用に連動するものであるから、不用意に点灯して無駄な電力を消費することがない。さらに、歩行運動の評価が歩数と消費エネルギーに止まらず、歩行距離にも渡るものであるから、運動時の疲労度が消費エネルギーのみならず、運動距離として実感できるから、糖尿病対策の運動やダイエット目的の運動ではその成果に対応して、具体的に歩行運動コースの予定が立てられることや、累積移動距離の把握による歩行運動の継続意欲や励みが促されること、などの効果をも奏する。
【考案を実施するための最良の形態】
【０００６】  ソーラーパネルは、合成樹脂製の照明部本体に固定されるものから、クリップとコードを有して照明部本体に着脱自在に嵌着されるものも提供され、また、ケース本体は透光性のものから不透光性で着色されたものなども選択される。また、ＣＰＵにおいて演算される歩行距離は、平均歩幅を基準とするものであるが、これを使用する各人の歩幅に対応して算出できるように、スイッチ操作部に歩幅設定機能（歩幅入力スイッチや確定スイッチなど）を盛り込むことも有用である。
【実施例】
【０００７】  本考案の携帯用健康管理具Ａを実施例により説明すると、図１、図２に示すように、偏平状直方体のケース本体１の右方上側には、その端部で開閉自在に軸支される照明部本体２が凹部３に収められ、該照明部本体２は中空部４を有するケース状で上面に電源となる太陽電池としてのソーラーパネル５を配設し、中空部４には照明灯としての発光ダイオード６が配設され、ソーラーパネル５によって発電された電力は蓄電部としてケース本体１の内部に収納された第１二次電池７と第２二次電池８に蓄電される。
そして、第１二次電池７からスイッチ機構９を経てその電力が発光ダイオード６に供給され、第２二次電池８からは、歩行運動に伴う歩数を検出する歩数検知部１９や、そのカウント歩数を記録部（図外）で記録し、歩数に対応する歩行距離や消費エネルギーなどの演算を実行するＣＰＵ１０や、結果を表示する液晶表示部である液晶ディスプレイ１１などにその電力が供給される。
前記のスイッチ機構９はケース本体１の上隅部で昇降自在に案内されるＬ形の昇降棒１２の下端にバネ状の端子１３を係着し、照明部本体２が閉じた状態では、ケース本体１の上隅部の上面から突出できる昇降棒１２の上端が照明部本体２の内面に押圧されて押し下げられ、端子１３は他方の端子との接触が断たれて照明回路が開き、発光ダイオード６は消灯するものであり、反対に、図２の仮想線で示すように照明部本体２が開いたときは、昇降棒１２への押圧が解放されて端子１３は自らの弾力で上方へはね上がり、他方の端子と接触して照明回路が閉じて発光ダイオード６が点灯する。
一方、第２二次電池８の電力は、前記のように歩行運動での歩数の表示及び歩行距離と消費エネルギーの換算に供給されるが、スイッチ操作部としての大きい方の切換ボタン１４を押すと、順次に歩数と歩行距離と消費エネルギー（カロリー単位）が液晶ディスプレイ１１に表示され、その隣の小さいリセットボタン１５を押すと、それまでにカウントされた歩数がクリアされると同時に歩行距離や消費エネルギーもクリアされて液晶ディスプレイ１１は０表示となる。そして、再度歩行運動による振動が発生すれば、自動的に歩数がカウントされて表示され、前記と同様に切替ボタン１４を操作することによって、順次に歩行距離と消費エネルギーが表示される。なお、ケース本体１の裏面には図２、図３に示すように、捩りバネ１６で挟み付けるようにセットされたクリップ１７が設けられる。【０００８】  このようにして成る携帯用健康管理具Ａは、歩行運動する人のバンドや胸ポケットなどにクリップ１７で挟み付けられ、運動量を歩数から換算された歩行距離や消費エネルギーとして表示し、健康管理の一助とされるのである。そして、昼間はソーラーパネル５によって太陽エネルギーが各二次電池７，８に蓄電され、夜間は照明部本体２を爪１８を介して引き起こして発光ダイオード６を点灯させ、懐中電灯代りに夜道の照明に使用したり、液晶ディスプレイ１１を照明して運動量の確認が成される。
【産業上の利用可能性】
【０００９】  本考案の携帯用健康管理具によれば、電源がソーラーパネル（太陽電池）であるから耐用命数が長く、電池交換などの煩わしさもなく、昼夜を問わず歩行運動に伴う歩行距離や消費エネルギーが簡易に即刻把握できる上、手に持つ場合のサイズも掌に入る程（長さ８０ｍｍ、幅４５ｍｍ、厚さ２５ｍｍ）のコンパクトタイプであるなど、中高年の健康管理には極めて有効であり、その需要は大いに期待されるところである。したがって、健康商品を扱う業界にとっても有益である。
【図面の簡単な説明】
【００１０】
【図１】  本考案に係わる携帯用健康管理具Ａの斜視図。
【図２】  図１の要部の縦断面図。
【図３】  図１の背面図。
【符号の説明】
【００１１】１    ケース本体
２    照明部本体
３    凹部
４    中空部
５    ソーラーパネル
６    発光ダイオード
７    第１二次電池
８    第２二次電池
９    スイッチ機構
１０  ＣＰＵ
１１  液晶ディスプレイ
１２  昇降棒
１３  端子
１４  切換ボタン
１５  リセットボタン
１６  捩りバネ
１７  クリップ
１８  爪
１９  歩数検知部
Ａ    携帯用健康管理具
【図１】
0003132257.tif 000003
【図２】
0003132257.tif 000004
【図３】
0003132257.tif 000005